(57)【特許請求の範囲】
【請求項１】
閉鎖したリング形状の第１係止金具（４）及び開閉自在のリング形状の第２係止金具（５）が本体部（３）の両端部に設けられた装身具（２）に取り付けられる第１留め具（１ａ）及び第２留め具（１ｂ）からなり、
前記第１留め具（１ａ）及び第２留め具（１ｂ）は、柔軟性材料によって形成されたチューブ（１１）と、前記チューブの両端部を除いた全長に亘ってチューブ内に挿入された複数の磁石片（１２）と、前記チューブ（１１）の両端部を閉鎖する第１キャップ（１３ｃ）及び第２キャップ（１３ｄ）と、から形成され、
前記第１留め具（１ａ）及び第２留め具（１ｂ）の一端に設けられる第１キャップ（１３ｃ）には、連結具（１７）が備えられ、
前記第１留め具（１ａ）の連結具（１７）が前記第１係止金具（４）に加締めによって取り付けられ、前記第２留め具（１ｂ）の連結具（１７）が前記第２係止金具（５）を開閉して取り付けられ、
前記チューブ（１１）は、前記磁石片（１２）が挿入された内側チューブ（１４）と、前記内側チューブ（１４）を覆う外側チューブ（１５）と、によって形成され、前記内側チューブ（１５）の内部の両端部には、接着により固定される端末（１６、１６）が嵌め込まれ、
前記磁石片（１２）は前記内側チューブ（１４）の内部で回転可能となっていることを特徴とする装身具用留め具。
【発明の詳細な説明】
【技術分野】
【０００１】
本発明は、装身具用留め具に係り、より詳しくは、既存のネックレス等の装身具に装着されることにより装身具の身体への装着を簡単に行なうことができる装身具用留め具に関する。
【背景技術】
【０００２】
ネックレス、ブレスレット、チョーカー、アクレット等の装身具は、宝玉等の本体部と、本体部に取り付けられた係止金具とによって形成されている。係止金具は相互に係脱可能な一対となって本体部の両端に取り付けられている。装身具の装着は、本体部を首、手首等の身体部位に巻き付け、本体部の両端の係止金具を結合操作して外れ止めすることにより行われる。装身具の取り外しは係止金具の結合を解除操作して本体部の巻き付けを解くことにより行われる。
【０００３】
以上のような装身具において、係止金具はデザイン上から余り目立たないように極力小さなものが使用される。このため、健常者であっても本人による結合操作がしにくいばかりでなく、手先が不自由な人は係止金具の操作が難しく、長時間を要し、他人に依頼しなければならない不便さがある。
【０００４】
以上のことから従来では、磁石の磁気吸引力によって装身具の装着行うことを可能とし、これにより係止金具を省略したネックレスが開示されている。（特許文献１参照）
【０００５】
特許文献１に記載のネックレスは、Ｓ極とＮ極とを長さ方向に沿って着磁した磁性材の外表面を薄膜で被覆してロープ体を形成し、このロープ体の自由端部にキャップを固着している。この構造では、ロープ体を巻回してロープ体の長さ方向に位置している異極同士を吸引させることにより、ロープ体を身体部位へ巻き付けることができる。このため身体への装着を簡単に行うことができ、装着からの取り外しもロープ体の吸引を解除することにより簡単に行うことができる。また、面倒な操作が必要な係止金具をなくしたネックレスとすることができる。
【先行技術文献】
【特許文献】
【０００６】
【特許文献１】特開２００４−１６６８０９号公報
【発明の概要】
【発明が解決しようとする課題】
【０００７】
従来の構造では、ロープ体を身体部位に巻き付けて装着するものであり、ロープ体が装身具（ネックレス）の主要部となる。しかしながら、ロープ体はそれ自体がデザイン性や美粧性に劣るので、装身具としての十分な審美性を備えたものとすることができない欠点がある。
【０００８】
また、従来の構造は、既存の装身具とは別個の装身具であるため、既存の装身具とは別個に装着することとなる。このため既存の装身具が係止金具を備えており、この係止金具を備えた既存の装身具を装着する場合には、依然として係止金具の結合操作が必要となるため、装身具の装着操作が相変わらず面倒となる不便さを解消することができない。
【０００９】
本発明は、以上の従来技術の問題点を考慮してなされたものであり、本発明の目的は、係止金具を備えた既存の装身具に対してそのまま適用することができ、これにより既存の装身具自体の審美性を発揮することができ、しかも装着操作を容易とすることができる装身具用留め具を提供することにある。
【課題を解決するための手段】
【００１０】
本発明による装身具用留め具は、閉鎖したリング形状の第１係止金具（４）及び開閉自在のリング形状の第２係止金具（５）が本体部（３）の両端部に設けられた装身具（２）に取り付けられる第１留め具（１ａ）及び第２留め具（１ｂ）からなり、前記第１留め具（１ａ）及び第２留め具（１ｂ）は、柔軟性材料によって形成されたチューブ（１１）と、前記チューブの両端部を除いた全長に亘ってチューブ内に挿入された複数の磁石片（１２）と、前記チューブ（１１）の両端部を閉鎖する第１キャップ（１３ｃ）及び第２キャップ（１３ｄ）と、から形成され、前記第１留め具（１ａ）及び第２留め具（１ｂ）の一端に設けられる第１キャップ（１３ｃ）には、連結具（１７）が備えられ、前記第１留め具（１ａ）の連結具（１７）が前記第１係止金具（４）に加締めによって取り付けられ、前記第２留め具（１ｂ）の連結具（１７）が前記第２係止金具（５）を開閉して取り付けられ、前記チューブ（１１）は、前記磁石片（１２）が挿入された内側チューブ（１４）と、前記内側チューブ（１４）を覆う外側チューブ（１５）と、によって形成され、前記内側チューブ（１５）の内部の両端部には、接着により固定される端末（１６、１６）が嵌め込まれ、前記磁石片（１２）は前記内側チューブ（１４）の内部で回転可能となっていることを特徴とする。
【発明の効果】
【００１１】
本発明による装身具用留め具、もしくは本発明による他の装身具用留め具によれば、留め具のキャップを装身具の係止金具のそれぞれに取り付けることにより一対のチューブが装身具の両端部に設けられる。一対のチューブ内に挿入された磁石片はチューブ内から磁力を作用させており、一方のチューブを他方のチューブに接近させることによりチューブが相互に吸引されて装身具がリング状となり、身体部位への巻き付き状態となる。これにより装身具を身体部位へ装着させることができる。
本発明の留め具は、装身具の係止金具に取り付ける構造であり、係止金具を備えた既存の装身具に対してそのまま適用することができるため、既存の装身具自体の審美性をそのまま発揮させることができる。しかも磁気吸引力によって装身具を身体部位へ装着させるため、装着操作を容易とすることができる。
【図面の簡単な説明】
【００１２】
【図１】本発明の一実施形態の全体を示す斜視図である。
【図２】装身具の装着状態を示す斜視図である。
【図３】一実施形態の一対の留め具を示す断面図である。
【図４】他の実施形態の一対の留め具を示す断面図である。
【発明を実施するための形態】
【００１３】
以下、本発明を図示する実施形態により具体的に説明する。図１は本発明の一実施形態の全体を示す斜視図であり、図２は装着状態を示す斜視図であり、図３は一対の第１留め具１ａ、第２留め具１ｂを示す断面図である。
【００１４】
図１及び図２に示すように、一対の第１留め具１ａ、第２留め具１ｂはネックレス、ブレスレット、チョーカー、アクレット等の装身具２に取り付けられて使用される。
【００１５】
装身具２は本体部３と、本体部３の両端部に設けられた一対の係止金具４、５とによって形成されている。本体部３は装身を行なうためのものであり、審美性を有するような形状、外観、状態等の態様を備えた部材によって構成される。図示する形態では、パール等の宝玉６を複数並べた態様となっているが、これに限定されるものではない。なお、複数の宝玉６は図示を省略した連結糸が挿通することによって横並び状に連結される。
【００１６】
第１係止金具４、第２係止金具５は、本体部３のそれぞれの端部に設けられている。係止金具としては相互に結合する一対であれば雌雄嵌合構造、引き輪構造、フック式構造、その他の構造を用いることができる。図示する形態では、引き輪構造となっており、一方の第１係止金具４が閉鎖したリング状、他方の第２係止金具５が開閉自在のリング状となっている。他方の第２係止金具５のリングピン５ａを開方向に操作して一方の第１係止金具４内に入れ込むことにより第１係止金具４、第２係止金具５が係止した結合状態なる。なお、第１係止金具４、第２係止金具５は宝玉６内に挿通された連結糸の両端部に連結される。
【００１７】
一対の第１留め具１ａ、第２留め具１ｂは、装身具２の第１係止金具４、第２係止金具５のそれぞれに対応して設けられるものであり、このため一対が装身具２に配置される。一対の第１留め具１ａ、第２留め具１ｂはいずれも同じ構造となっており、円筒状のチューブ１１と、チューブ１１内に挿入された複数の磁石片１２と、チューブ１１の両端部の第１キャップ１３ｃ、第２キャップ１３ｄとによって形成されている。
【００１８】
図３は、一対の第１留め具１ａ、第２留め具１ｂの構造を示す断面図である。チューブ１１は両端部が開口されており、円筒状の内側チューブ１４と、内側チューブ１４を覆う外側チューブ１５とによって形成される。チューブ１１は全体が曲げや捩じりが容易な柔軟性を有している。このため少なくとも内側チューブ１４がゴム、可撓性合成樹脂等の柔軟性材料によって形成される。外側チューブ１５は金、銀その他の貴金属線材または光沢、色彩等を有した装飾性の可撓性線材を編組することにより形成されており、管状となって内側チューブ１４を覆うように設けられる。チューブ１１が柔軟性を有していることにより、第１留め具１ａ、第２留め具１ｂの全体を曲げたり、捩ったりすることが容易であり、後述する装身具２の装身操作を容易に行なうことができる。
【００１９】
複数の磁石片１２は内側チューブ１４内に挿入される。磁石片１２は同径の円柱状または円筒状に形成されており、長さ方向の両端面が隣接する磁石片１２の端面と接触するように横並び状となって内側チューブ１４内に挿入される。各磁石片１２においては、径方向の半分がＮ極、他の半分がＳ極に着磁されている。また、各磁石片１２は内側チューブ１４内で自由に回転可能となっている。従って、各磁石片１２の磁極は磁石片１２が回転することにより内側チューブ１４内で任意に変位可能となっている。
【００２０】
以上のような磁石片１２としては、フェライト磁石、ネオジウム磁石、マサリウムコバルト磁石等を使用することができる。なお、磁石片１２の内側チューブ１４からの脱落を防止するため、内側チューブ１４の両端部には、端末１６が嵌め込まれて接着されており、これにより内側チューブ１４の両端部が閉鎖されている。
【００２１】
第１キャップ１３ｃ、第２キャップ１３ｄは、チューブ１１（具体的には、外側チューブ１５）の両端部に設けられてチューブ１１の両端部を閉鎖する。第１キャップ１３ｃ、第２キャップ１３ｄは、チューブ１１側の差し込み部１３ａと、差し込み部１３ａよりも大径となっている蓋部１３ｂとによって形成されている。差し込み部１３ａは外側チューブ１５の径に合わせた径となっており、外側チューブ１５の両端部の開口部に差し込まれ、この差し込み状態で接着される。このことにより蓋部１３ｂが外側チューブ１５の両端部を塞いだ状態となる。
【００２２】
この実施形態において、それぞれの第１留め具１ａ、第２留め具１ｂの一端側に連結具１７が設けられる。連結具１７は、第１留め具１ａ、第２留め具１ｂの外側チューブ１５の第１キャップ１３ｃに取り付けられる。連結具１７はキャップ１３を装身具２の一対の第１係止金具４、第２係止金具５のそれぞれに取り付けるためのものであり、一部が開放された環状ピンによって形成されている。図１に示すように、環状ピンからなる連結具１７を装身具２の第１係止金具４に係止した後、連結具１７を加締めて閉じることにより連結具１７を介してキャップ１３が第１係止金具４に連結され、これにより第１留め具１ａの全体が装身具２に連結され、第１留め具１ａ、第２留め具１ｂ付きの装身具２とすることができる。なお、連結具１７を使用せずに、例えば、溶接によって取り付けても良く、ねじ構造で取り付けても良い。
【００２３】
次に、この実施形態の作用を説明する。図２はこの実施形態の第１留め具１ａ、第２留め具１ｂを装身具２に取り付けた状態を示す。そして一対の第１留め具１ａ、第２留め具１ｂの取り付け状態の装身具２を、図２に示すように使用者２１の首２２周りにリング状に回し込む。この状態で、第１係止金具４、第２係止金具５のそれぞれの第１留め具１ａ、第２留め具１ｂを相互に接近させる。一対の第１留め具１ａ、第２留め具１ｂは、図３に示すように、チューブ１１内の磁石片１２が磁力を作用させており、一対の第１留め具１ａ、第２留め具１ｂの相互の接近によっていずれか一方の第１留め具１ａにおける内側チューブ１４内の磁石片１２が他方の第２留め具１ｂの磁石片１２の極と異極となるように内側チューブ１４内で回転する。これにより接近した一対の第１留め具１ａ、第２留め具１ｂの間で磁気吸引力が作用し、一対の第１留め具１ａ、第２留め具１ｂが相互に吸引されて結合する。従って、図２に示すように、装身具２がリング状となって首２２に巻き付けられた装着状態となる。このため、第１係止金具４、第２係止金具５を結合操作させることなく、装身具２を装着することができ、既存の装身具２が有している宝玉６の審美性をそのまま発揮することができる。装身具２の取り外しは、一対の第１留め具１ａ、第２留め具１ｂを引き離し操作するだけでよく、この場合も第１係止金具４、第２係止金具５を操作する必要がない。
【００２４】
図４は、他の実施形態の留め具１、１’を示す断面図である。図３の一対の第１留め具１ａ、第２留め具１ｂとの違いは、一方の留め具１の内部には、図３と同様に、複数の磁石片１２が内側チューブ１４内に挿入されるが、他方の留め具１’の内部には、磁石片１２ではなく、磁性体１８が挿入される。磁性体１８は、同径の円柱状または円筒状に形成されており、長さ方向の両端面が隣接する磁性体１８の端面と接触するように横並び状で、内側チューブ１４内に挿入される。磁性体１８として、例えばＳＵＳ４００のフェライト系もしくはマルテンサイト系のステンレス鋼が使用でき、強磁性体なので、一方の留め具１の磁石片１２に吸着できる。
【００２５】
本発明によれば、第１留め具１ａ、第２留め具１ｂまたは１、１’を装身具２の係止金具４、５に取り付ける構造であり、第１係止金具４、第２係止金具５を備えた既存の装身具２に対してそのまま適用することができる。このため、既存の装身具２自体の審美性をそのまま発揮させることができる。しかも留め具１の磁気吸引力によって装身具２を身体部位へ装着させるため、第１係止金具４、第２係止金具５への操作が不要となり、装着操作を容易に行なうことができる。これにより、手先が不自由な人であっても簡単に装身具２の装着、取り外しを行なうことができる。また、自分の首の太さに合わせた調節も容易である。
【符号の説明】
【００２６】
１ａ    第１留め具
１ｂ    第２留め具
１、１’        一対の留め具
２        装身具
３        本体部
４    第１係止金具
５    第２係止金具
６        宝玉
１１        チューブ
１２        磁石片
１３        キャップ
１３ｃ        第１キャップ
１３ｄ        第２キャップ
１４        内側チューブ
１５        外側チューブ
１６        端末
１７        連結具
１８        磁性体
【図１】
0006681057.tif 000002
【図２】
0006681057.tif 000003
【図３】
0006681057.tif 000004
【図４】
0006681057.tif 000005